(57)【要約】【課題】画像形成装置の操作パネル等から印刷データに含まれる罫線の描画条件を変更して出力可能な画像形成装置等を提供する。【解決手段】送信されてきた罫線の描画条件を含む印刷データが保存手段１０に保存され、ユーザにより入力手段６を介して罫線の描画条件の変更指示の入力がなされると、再設定手段１３により、入力された変更内容で罫線の描画条件の再設定が行われ、その後出力手段９により再設定された罫線の描画条件で、印刷データが出力される。【選択図】図４
2008192015.tif 000002
【特許請求の範囲】
【請求項１】
外部装置から送信された罫線の描画条件を含む印刷データを保存する保存手段と、
ユーザが前記保存された印刷データの罫線の描画条件の変更指示を入力可能な入力手段と、
入力された変更の内容で罫線の描画条件を再設定する再設定手段と、
再設定された罫線の描画条件で前記印刷データを出力する出力手段と、
を備えたことを特徴とする画像形成装置。
【請求項２】
罫線の描画条件の変更は、罫線の太さの変更である請求項１に記載の画像形成装置。
【請求項３】
罫線の描画条件の変更は、罫線の出力色の変更である請求項１に記載の画像形成装置。
【請求項４】
罫線の描画条件の変更は、罫線の濃度の変更である請求項１に記載の画像形成装置。
【請求項５】
罫線の描画条件の変更は、罫線の破線間隔の変更である請求項１に記載の画像形成装置。
【請求項６】
外部装置から送信された罫線の描画条件を含む印刷データを保存するステップと、
画像形成装置の入力手段によりユーザから入力された罫線の描画条件の変更指示を受け付けるステップと、
受け付けられた変更の内容で罫線の描画条件を再設定するステップと、
再設定された罫線の描画条件で、前記印刷データを出力するステップと、
を備えたことを特徴とする、画像形成装置で実行される罫線出力の変更方法。
【請求項７】
外部装置から送信された罫線の描画条件を含む印刷データを保存するステップと、
画像形成装置の入力手段によりユーザから入力された罫線の描画条件の変更指示を受け付けるステップと、
受け付けられた変更の内容で罫線の描画条件を再設定するステップと、
再設定された罫線の描画条件で、前記印刷データを出力するステップと、
を画像形成装置のコンピュータに実行させるための罫線出力の変更プログラム。
【発明の詳細な説明】
【技術分野】
【０００１】
この発明は、外部装置から画像形成装置に送信されてきた印刷データに含まれる罫線の描画条件を再設定して出力可能な画像形成装置、罫線出力の変更方法及び罫線出力の変更プログラムに関する。
【背景技術】
【０００２】
日常、パーソナルコンピュータ（以下ではパソコンという）にインストールされている文書作成ソフトウェアを用いて罫線が含まれる文書や画像データ等の作成がユーザにより行われ、その後、作成された文書等がパソコンに接続されているプリンタ等の画像形成装置に印刷データとして送信され、当該印刷データの印刷が行われている。
【０００３】
そして、印刷終了後ユーザが印刷文書を取りに行った際、罫線の出力結果がユーザの意図したものとは異なる場合がある。このような場合にはユーザはもう一度パソコンに戻り、文書作成ソフトウェアを用いて罫線の描画条件の再設定を行わなければならないため煩わしく、また文書等の作成に長時間を要するという問題がある。
【０００４】
なお、印刷データの余白、文字ピッチ、文字サイズを画像形成装置上で変更して再出力可能な技術が提供されている（特許文献１参照）。
【特許文献１】特開平９−８５９９０号公報
【発明の開示】
【発明が解決しようとする課題】
【０００５】
しかしながら、特許文献１に記載の技術では、画像形成装置上で余白や文字を変更可能な技術は開示されているものの、罫線の描画条件の変更についてはなんら開示されておらず本問題を根本的に解決するものではない。
【０００６】
本発明は、上記実情に鑑みてなされたものであり、画像形成装置の操作パネル等から印刷データに含まれる罫線の描画条件を変更して出力可能な画像形成装置、罫線出力の変更方法及び罫線出力の変更プログラムを提供することを課題とする。
【課題を解決するための手段】
【０００７】
上記課題は、以下の手段により解決される。
【０００８】
（１）外部装置から送信された罫線の描画条件を含む印刷データを保存する保存手段と、ユーザが前記保存された印刷データの罫線の描画条件の変更指示を入力可能な入力手段と、入力された変更の内容で罫線の描画条件を再設定する再設定手段と、再設定された罫線の描画条件で前記印刷データを出力する出力手段と、を備えたことを特徴とする画像形成装置。
【０００９】
（２）罫線の描画条件の変更は、罫線の太さの変更である前項（１）に記載の画像形成装置。
【００１０】
（３）罫線の描画条件の変更は、罫線の出力色の変更である前項（１）に記載の画像形成装置。
【００１１】
（４）罫線の描画条件の変更は、罫線の濃度の変更である前項（１）に記載の画像形成装置。
【００１２】
（５）罫線の描画条件の変更は、罫線の破線間隔の変更である前項（１）に記載の画像形成装置。
【００１３】
（６）外部装置から送信された罫線の描画条件を含む印刷データを保存するステップと、画像形成装置の入力手段によりユーザから入力された罫線の描画条件の変更指示を受け付けるステップと、受け付けられた変更の内容で罫線の描画条件を再設定するステップと、再設定された罫線の描画条件で、前記印刷データを出力するステップと、を備えたことを特徴とする、画像形成装置で実行される罫線出力の変更方法。
【００１４】
（７）外部装置から送信された罫線の描画条件を含む印刷データを保存するステップと、画像形成装置の入力手段によりユーザから入力された罫線の描画条件の変更指示を受け付けるステップと、受け付けられた変更の内容で罫線の描画条件を再設定するステップと、再設定された罫線の描画条件で、前記印刷データを出力するステップと、を画像形成装置のコンピュータに実行させるための罫線出力の変更プログラム。
【発明の効果】
【００１５】
前項（１）に記載の発明によれば、ユーザは画像形成装置上で外部装置から送信された印刷データに含まれる罫線の描画条件の変更指示ができるので、外部装置に戻って罫線の描画条件の変更を行う煩わしさから解放され、また文書等の作成に長時間かかることを防止することができる。
【００１６】
前項（２）に記載の発明によれば、画像形成装置上での罫線の太さの変更が可能となる。
【００１７】
前項（３）に記載の発明によれば、画像形成装置上での罫線の出力色の変更が可能となる。
【００１８】
前項（４）に記載の発明によれば、画像形成装置上での罫線の濃度の変更が可能となる。
【００１９】
前項（５）に記載の発明によれば、画像形成装置上での破線間隔の変更が可能となる。
【００２０】
前項（６）に記載の発明によれば、ユーザは外部装置から送信された印刷データに含まれる描画条件の変更指示を画像形成装置上で行うことができ、また変更後の印刷データの出力が可能となる。
【００２１】
前項（７）に記載の発明によれば、外部装置から送信された印刷データの保存、当該印刷データに含まれる罫線の描画条件の変更指示受け付け、受け付けた変更内容での罫線の描画条件の再設定及び再設定後の印刷データの出力を画像形成装置のコンピュータに実行させることができる。
【発明を実施するための最良の形態】
【００２２】
以下、この発明の一実施形態を図面を用いて説明する。
【００２３】
図１は、この発明の一実施形態に係る画像形成装置が用いられた印刷システムの全体構成図である。
【００２４】
この印刷システムは、図１に示すように外部装置としてのパソコンからなる端末装置１と画像形成装置２とから構成され、これらは互いにネットワーク３を介して接続されている。
【００２５】
端末装置１は、ユーザが文書や画像等を作成する際に使用される文書作成用ソフトや、画像形成装置２に対応するプリンタドライバを含む各種ソフトウェアが保存されている。前記文書作成用ソフトを用いてユーザにより罫線を含む画像や文書等が作成された後、前記作成文書等の出力指示がなされた場合、前記プリンタドライバは印刷ジョブを作成し、ネットワーク３を介して画像形成装置２に当該印刷ジョブの送信を行う。
【００２６】
画像形成装置２は、ネットワーク３を介して端末装置１から送られてきた印刷ジョブを実行したり、ユーザによるオペレーションパネル部６（図２に示す）からの直接操作による指示により、自動原稿送り装置やプラテンガラス上（共に、図示せず）にセットされた原稿を画像読取部１１（図２に示す）によって読み取り、読み取った原稿の画像データの印刷等を行なう。なお、この実施形態においては、画像形成装置２として多機能デジタル複合機であるＭＦＰ（Multi function peripherals）が用いられている。
［画像形成装置２の構成］
次に、図２を用いて画像形成装置２の概略構成を説明する。
【００２７】
図２に示すように、画像形成装置２は制御部５、オペレーションパネル部６、
通信インターフェイス部（Ｉ/Ｆ部）７、画像処理部８、作像実行部９、画像メモリ部１０、画像読取部１１及び罫線描画条件抽出部１２などから構成されている。
【００２８】
制御部５は、CPU１３、ＲＯＭ１４及びＲＡＭ１５などを備える。
【００２９】
ＣＰＵ１３は、画像形成装置２の全体を統括的に制御する他、この実施形態ではユーザから入力された罫線の描画条件の変更指示内容に従って罫線の描画条件の再設定等を行うが、具体的な制御内容については後述する。
【００３０】
ＲＯＭ１４は、ＣＰＵ１３が実行するプログラムやその他のデータを記憶する。
【００３１】
RAM１５は、ＣＰＵ１３が実行する際の作業領域となるものであり、プログラムやプログラムを実行する際のデータ等を一時保存する。
【００３２】
オペレーションパネル部６は、各種のメッセージや入力画面、選択画面等を表示したり、ユーザにより画像形成装置２が有する各種機能の操作設定がなされる際に用いられるものであり、テンキーなどのキー入力部とタッチパネル式の液晶表示部等を備えている。この実施形態では、オペレーションパネル部６は印刷データ２０（図３に示す）に含まれる罫線の描画条件の変更指示をユーザが入力するための入力手段として機能する。
【００３３】
通信インターフェイス部（Ｉ/Ｆ部）７は、端末装置１等との間で、ネットワーク３を通じてデータの送受信を行うものである。
【００３４】
画像処理部８は、画像読取部１１で読み取られた画像データに対し所定の処理を施したり、端末装置１から送信されてきた印刷ジョブに含まれる印刷データ２０に対して所定の処理を施す。
【００３５】
作像実行部９は、画像メモリ１０に保存されたデータを取得し、当該データの印刷を行う。
【００３６】
画像メモリ部１０は、画像処理部８によって所定の処理が施された、読取部１１による画像データや端末装置１から送信されてきた印刷データ２０を一時的に保存する。
【００３７】
画像読取部１１は、例えばスキャナー等からなり、ユーザにより自動原稿送り装置やプラテンガラス上（共に、図示せず）にセットされた原稿を読み取って電子データである画像データに変換する。
【００３８】
罫線描画条件抽出部１２は、画像メモリ部１０に保存されている印刷データ２０から罫線属性２８（図３に示す）に含まれる罫線の描画条件の抽出を行う。
［印刷データ］
次に、端末装置１から送信され、画像メモリ部１０に保存された印刷データを図３を用いて説明する。
【００３９】
図３に示すように、印刷データ２０は、属性部２１とデータ部２２とから構成されている。
【００４０】
属性部２０には、画像一般情報２３からなり、出力サイズ、出力頁数及び画像カラー情報等の各種情報が保持されている。
【００４１】
データ部２２は、テキスト情報２４、イメージ情報２５及び罫線描画情報２６等から構成されている。
【００４２】
テキスト情報２４にはテキスト内容、フォント情報及び描画位置情報が、イメージ情報２５にはイメージデータとイメージデータの描画位置情報がそれぞれ保持されている。
【００４３】
また、罫線描画情報２６には罫線種類２７、罫線属性２８及び描画位置情報２９が保持されている。この実施形態では、罫線属性２８には罫線の太さ、色、濃度及び破線間隔等の罫線の描画条件が含まれている。
［画像形成装置２の動作］
次に、画像形成装置２の動作を、図４に示すフローチャート、及び図５〜１１に示すオペレーションパネル部６の表示画面図を用いて説明する。なお、この動作はＣＰＵ１３がＲＯＭ１４等の記録媒体に保存されているプログラムを実行することにより、実現される。
【００４４】
端末装置１から送信された印刷データ２０の印刷実行後、オペレーションパネル部６の液晶表示部には図５の操作受付画面７０が表示されている。この操作受付画面７０には、ユーザからの再印刷の指示を受け付けるためのボタンである再プリントボタン７１が表示されている。なお、再プリントボタン７１は、印刷データ２０の印刷後一定時間は有効であるが、その後は再プリントの受け付けが不可能となる設定がなされている。
【００４５】
再プリントボタン７１が押下されると（ステップＳ５１）、罫線描画条件抽出部１２を介して画像メモリ部１０に保存されている印刷データ２０から罫線属性２８、即ち罫線の描画条件が抽出される。
【００４６】
次に、図６に示す再設定項目選択画面７２がオペレーションパネル部６の液晶表示部に表示され（ステップＳ５２）、ユーザからの再設定項目の選択指示を待つ（ステップＳ５３）。なお、再設定項目選択画面７２には、「罫線の太さ」ボタン７３、「罫線の色」ボタン７４、「罫線の濃度」ボタン７５、「破線の間隔」ボタン７６、「キャンセル」ボタン７７及び「ＯＫ」ボタン７８などが表示されている。
【００４７】
「罫線の太さ」ボタン７３が選択され、「ＯＫ」ボタン７８が押下されると（ステップＳ５３で「太さ」）、ＣＰＵ１３はこれを受け付け、図７に示す罫線の太さ調節画面７９が表示され、（ステップＳ５４）、ユーザからの罫線の太さの調節入力を待つ（ステップＳ５５）。罫線の太さ調節画面７９にはＸ方向の調節を行うＸ―調節キー８０、Ｙ方向の調節を行うＹ−方向調節キー８１、「キャンセル」ボタン８２及び「ＯＫ」ボタン８３が表示されている。
【００４８】
キー入力部のテンキーを用いて或いは画面上の操作により調節がなされ、「ＯＫ」ボタン８３が押下されると（ステップＳ５５でＹＥＳ）、ステップＳ６２に進む。一方、「キャンセル」ボタン８２が押下されると（ステップＳ５５でＮＯ）、処理を終了する。なお、罫線の太さ調節画面７９では罫線のＸ方向とＹ方向を独立して調節する構成であるが、Ｘ方向とＹ方向の罫線の太さを一律で調節できる構成としても良い。
【００４９】
図６の画面において、「罫線の色」ボタン７４が選択され、「ＯＫ」ボタン７８が押下されると（ステップＳ５３で「色」）、ＣＰＵ１３はこれを受け付け、図８に示す罫線色変更画面８４がオペレーションパネル部６の液晶表示部に表示され（ステップＳ５６）、ユーザからの色の選択入力を待つ（ステップＳ５７）。なお、罫線色変更画面８４には色選択欄８５、「キャンセル」ボタン８６及び「ＯＫ」ボタン８７等が表示されている。
【００５０】
色選択欄８５から変更先の色が選択され、「ＯＫ」ボタン８７が押下されると（ステップＳ５７でＹＥＳ）、ステップＳ６２に進む。一方「キャンセル」ボタン８６が押下されると（ステップＳ５７でＮＯ）、処理を終了する。なお、罫線色変更画面８４ではＸ方向の罫線の色とＹ方向の罫線の色とを一律に変更できる構成としたが、Ｘ方向の罫線の色とＹ方向の罫線の色のそれぞれを独立して変更できる構成としても良い。
【００５１】
図６の画面において、「罫線の濃度」ボタン７５が選択され、「ＯＫ」ボタン７８が押下されると（ステップＳ５３で「濃度」）、ＣＰＵ１３はこれを受け付け、図９に示す罫線濃度調整画面８８が表示され（ステップＳ５８）、ユーザからの濃度の調整入力を待つ（ステップＳ５９）。なお、罫線濃度調整画面８８には濃度調整ボタン８９、「キャンセル」ボタン９０及び「ＯＫ」ボタン９１などが表示されている。
【００５２】
濃度調整ボタン８９により罫線の濃度の調整が行われ、「ＯＫ」ボタン９１が押下されると（ステップＳ５９でＹＥＳ）、ステップＳ６２に進む。一方「キャンセル」ボタン９０が押下されると（ステップＳ５９でＮＯ）、処理を終了する。なお、罫線濃度調整画面８８ではＸ方向の罫線の濃度とＹ方向の罫線の濃度とを一律で調整できる構成としたが、Ｘ方向の罫線の濃度とＹ方向の罫線の濃度のそれぞれを独立して調整できる構成としても良い。
【００５３】
図６の画面において、「破線の間隔」ボタン７６が選択され、「ＯＫ」ボタン７８が押下されると（ステップＳ５３で「破線」）、ＣＰＵ１３はこれを受け付け、図１０に示す破線間隔調整画面９２がオペレーションパネル部６の液晶表示部に表示され（ステップＳ６０）、ユーザからの調整入力を待つ（ステップＳ６１）。なお、破線間隔調整画面９２には破線間隔調整ボタン９３、「キャンセル」ボタン９４及び「ＯＫ」ボタン９５などが表示されている。
【００５４】
破線間隔調整ボタン９３により破線間隔の調整が行われ、「ＯＫ」ボタン９５が押下されると（ステップＳ６１でＹＥＳ）、ステップＳ６２に進む。一方「キャンセル」ボタン９４が押下されると（ステップＳ６１でＮＯ）、処理を終了する。なお、破線間隔調整画面９２ではＸ方向の破線の間隔とＹ方向の破線の間隔とを一律で調整できる構成としたが、Ｘ方向の破線間隔、Ｙ方向の破線間隔のそれぞれを独立して調整できる構成としても良い。
【００５５】
なお、ステップＳ５３において、再設定項目選択画面７２の「キャンセル」ボタン７７が押下されると（ステップＳ５３で「キャンセル」）、処理を終了する。
【００５６】
ステップＳ６２では、入力された罫線の描画条件の変更内容が受け付けられ、変更された内容で罫線の描画条件の再設定が実施される（ステップＳ６３）。次いで、ユーザからの印刷実行指示又は他の罫線の設定条件の変更指示を受け付けるために、オペレーションパネル部６の液晶表示部に図１１に示す印刷受付画面９６が表示され（ステップＳ６４）、ユーザからの指示を待つ（ステップＳ６５）。なお、印刷受付画面９６には、印刷の実行を促すメッセージと共に、「続行」ボタン９７、「印刷」ボタン９８及び「印刷中止」ボタン９９などが表示されている。
【００５７】
ユーザにより「印刷」ボタン９８が押下されると（ステップＳ６５で「印刷」）、ＣＰＵ１３はこれを受け付け、作像実行部９を介して印刷を行い（ステップＳ６６）、処理を終了する。この印刷により、ユーザは、変更後の条件で罫線が描画された印刷物を得ることができる。
【００５８】
図１１の画面において、「続行」ボタン９７が押下されると（ステップＳ６５で「続行」）、罫線の描画条件の再設定を続けるために、ステップＳ５２に戻り、再設定項目選択画面７２が表示される。
【００５９】
図１１の画面において、「印刷中止」ボタン９９が押下されると（ステップＳ６５で「印刷中止」）、印刷を中止して処理を終了する。
【００６０】
このように、この実施形態によれば、ユーザは、画像形成装置２のオペレーションパネル部６から罫線の太さの変更、罫線色の変更、罫線濃度の変更及び破線間隔の変更等の罫線の描画条件の変更指示を入力し、この変更が反映された出力物を得ることができる。これにより、ユーザは印刷データ２０の罫線の描画条件の変更をしたい場合、端末装置１に戻って再設定を行う煩わしさから開放され、また文書等の作成時間の短縮を図ることが可能となる。
【００６１】
なお、以上の実施形態では、画像メモリ１０に保存されている印刷データについて罫線の描画条件を変更する場合を説明したが、例えばハードディスク内の記録領域であるボックス等に記憶されている印刷データについて変更しても良い。
【図面の簡単な説明】
【００６２】
【図１】本発明の一実施形態に係る画像形成装置が用いられた印刷システムの構成を示す図である。
【図２】図１の画像形成装置の概略構成を示す図である。
【図３】印刷データの構成の一例を示す図である。
【図４】画像形成装置の動作を説明するためのフローチャートである。
【図５】操作受付画面の一例を示す図である。
【図６】再設定項目選択画面の一例を示す図である。
【図７】罫線の太さ調節画面の一例を示す図である。
【図８】罫線色変更画面の一例を示す図である。
【図９】罫線濃度調整画面の一例を示す図である。
【図１０】破線間隔調整画面の一例を示す図である。
【図１１】印刷受付画面の一例を示す図である。
【符号の説明】
【００６３】
１・・・端末装置
２・・・画像形成装置
５・・・制御部
６・・・オペレーションパネル部
７・・・通信インターフェイス（Ｉ/Ｆ部）
８・・・画像処理部
９・・・作像実行部
１０・・・画像メモリ部
１１・・・画像読取部
１２・・・罫線描画条件抽出部
１３・・・ＣＰＵ
１４・・・ＲＯＭ
１５・・・ＲＡＭ
【図１】
2008192015.tif 000003
【図２】
2008192015.tif 000004
【図３】
2008192015.tif 000005
【図４】
2008192015.tif 000006
【図５】
2008192015.tif 000007
【図６】
2008192015.tif 000008
【図７】
2008192015.tif 000009
【図８】
2008192015.tif 000010
【図９】
2008192015.tif 000011
【図１０】
2008192015.tif 000012
【図１１】
2008192015.tif 000013